(57)【要約】【課題】記録材に対して処理を行う処理手段の上流側にて記録材を待機させる機能を付与したとしても装置の大型化が抑制できる記録材処理装置を提供する。【解決手段】用紙Ｐ１の後端が切り替え部材４７を通過した後、イクジットロール４３２の回転を停止させ用紙Ｐ１の搬送を停止させる。次いで、（Ａ）に示すように、切り替え部材４７を下降させる。次いで、（Ｂ）に示すように、イクジットロール４３２を逆方向に回転させ、用紙Ｐ１の搬送方向における上流側に向けて用紙Ｐ１を予め定められた量だけ搬送する。このときこの用紙Ｐ１は、切り替え部材４７に案内され、斜め下方向に向かって移動していく。その後、切り替え部材４７を上方に移動させる。これにより、画像形成装置２から排出されてきた２枚目の用紙が用紙Ｐ１の上を移動していく。【選択図】図３
2012126568.tif 000002
【特許請求の範囲】
【請求項１】
一方向に記録材が搬送される第１の搬送経路と、
前記第１の搬送経路を搬送されてきた記録材に対し予め定められた処理を行う処理手段と、
前記第１の搬送経路から分岐して設けられ、記録材が搬送される第２の搬送経路と、
前記第２の搬送経路が前記第１の搬送経路から分岐した分岐部に設けられ、当該第１の搬送経路から退避した第１の状態から当該第１の搬送経路上に突出する第２の状態に変位し、記録材の搬送先を、当該第１搬送経路から当該第２の搬送経路に切り替える切り替え部材と、
前記第１の搬送経路を搬送されてきた記録材の先端部が前記切り替え部材を通過した後に当該切り替え部材を前記第１の状態から前記第２の状態に変位させるとともに、当該記録材を前記一方向とは反対方向に搬送し、当該反対方向への当該記録材の当該搬送を行った後、当該切り替え部材を当該第２の状態から当該第１の状態に変位させる制御手段と、
を備える記録材処理装置。
【請求項２】
前記制御手段は、前記第１の搬送経路を搬送されてきた前記記録材の後端部が前記切り替え部材を通過した後に、当該切り替え部材を前記第１の状態から前記第２の状態に変位させることを特徴とする請求項１記載の記録材処理装置。
【請求項３】
前記第１の搬送経路、前記処理手段、前記第２の搬送経路、および前記切り替え部材は、第１の筐体内に設けられ、
前記第１の筐体に向けて前記記録材を排出する第２の筐体が更に設けられ、
前記制御手段によって前記反対方向に搬送される前記記録材のうちの前記第１の筐体から突出する部分は、当該第１の筐体と前記第２の筐体との間に形成される間隙内に入り込むことを特徴とする請求項１又は２に記載の記録材処理装置。
【請求項４】
前記第１の搬送経路、前記処理手段、前記第２の搬送経路、および前記切り替え部材は、第１の筐体内に設けられ、
前記第１の筐体に向けて前記記録材を排出する第２の筐体が更に設けられ、
前記第２の筐体には、前記制御手段によって前記反対方向に搬送される前記記録材のうちの前記第１の筐体から突出する部分を収容する収容部が形成されていることを特徴とする請求項１又は２に記載の記録材処理装置。
【請求項５】
記録材が順次搬送される搬送経路と、
前記搬送経路を搬送されてきた記録材に対し予め定められた処理を行う処理手段と、
前記処理手段よりも記録材の搬送方向上流側にて停止され又は減速された記録材の後端部を当該記録材の厚み方向に変位させる変位手段と、
を備える記録材処理装置。
【請求項６】
前記搬送経路から退避した第１の状態から当該搬送経路上に突出する第２の状態に変位し、記録材の搬送先を、当該搬送経路とは異なる搬送経路に切り替える切り替え部材を更に備え、
前記変位手段は、前記記録材の搬送方向とは逆方向に向かって当該記録材を搬送するとともに前記第２の状態にある前記切り替え部材に当該記録材を接触させることで当該記録材の前記後端部を前記厚み方向に変位させることを特徴とする請求項５記載の記録材処理装置。
【請求項７】
前記切り替え部材は、一端および他端を有し、前記記録材の搬送方向における下流側に位置する当該一端を中心に回転可能に設けられるとともに、前記第２の状態に変位する際に、当該搬送方向における上流側に位置する当該他端が前記搬送経路側に移動するように回転し、当該搬送経路上に突出し、
前記搬送経路を挟み前記切り替え部材に対向する箇所には、当該搬送経路を搬送される前記記録材を案内する案内面が設けられ、
前記案内面は、前記第２の状態にある前記切り替え部材に沿うように形成されていることを特徴とする請求項６記載の記録材処理装置。
【発明の詳細な説明】
【技術分野】
【０００１】
本発明は、記録材処理装置に関する。
【背景技術】
【０００２】
シートの後処理を行なう処理トレイと、シート搬入口から搬入されるシートをガイドする搬送路と、この搬送路に対し連通する待機用搬送路と、搬送路と待機用搬送路へのシート搬送の切換え手段を有するシート後処理装置が提案されている（例えば、特許文献１参照）。
また、断面円形の環状のシート待機路が設けられ、この環状のシート待機路にてシートが待機するシート処理装置が提案されている（例えば、特許文献２参照）。
また、第１の通路に供給された第１のシートと第２の通路に供給された第２のシートとを重ねて後処理部に搬送するとき、第１の通路に供給されたシートは、その後端から別の通路に送り込まれ、この別の通路から第１の通路を経由して後処理部に送り出されるシート処理装置が提案されている（例えば、特許文献３参照）。
さらに、画像形成装置とシート後処理装置の間に配設され、画像形成装置から排出されるシートを、複数枚待機させるシート待機部を備えたシート待機装置において、上記画像形成装置とシート後処理装置の間に、これらの装置と分離独立して着脱可能に配設されることを特徴とするシート待機装置が提案されている（例えば、特許文献４参照）。
【先行技術文献】
【特許文献】
【０００３】
【特許文献１】特開平２−２３３４３０号公報
【特許文献２】特開平８−７３１１１号公報
【特許文献３】特開２００１−２３３５２４号公報
【特許文献４】特開２００４−６１８７２号公報
【発明の概要】
【発明が解決しようとする課題】
【０００４】
本発明の目的は、記録材に対して処理を行う処理手段の上流側にて記録材を待機させる機能を付与したとしても装置の大型化が抑制できる記録材処理装置を提供することにある。
【課題を解決するための手段】
【０００５】
請求項１に記載の発明は、一方向に記録材が搬送される第１の搬送経路と、前記第１の搬送経路を搬送されてきた記録材に対し予め定められた処理を行う処理手段と、前記第１の搬送経路から分岐して設けられ、記録材が搬送される第２の搬送経路と、前記第２の搬送経路が前記第１の搬送経路から分岐した分岐部に設けられ、当該第１の搬送経路から退避した第１の状態から当該第１の搬送経路上に突出する第２の状態に変位し、記録材の搬送先を、当該第１搬送経路から当該第２の搬送経路に切り替える切り替え部材と、前記第１の搬送経路を搬送されてきた記録材の先端部が前記切り替え部材を通過した後に当該切り替え部材を前記第１の状態から前記第２の状態に変位させるとともに、当該記録材を前記一方向とは反対方向に搬送し、当該反対方向への当該記録材の当該搬送を行った後、当該切り替え部材を当該第２の状態から当該第１の状態に変位させる制御手段と、を備える記録材処理装置である。
請求項２に記載の発明は、前記制御手段は、前記第１の搬送経路を搬送されてきた前記記録材の後端部が前記切り替え部材を通過した後に、当該切り替え部材を前記第１の状態から前記第２の状態に変位させることを特徴とする請求項１記載の記録材処理装置である。
請求項３に記載の発明は、前記第１の搬送経路、前記処理手段、前記第２の搬送経路、および前記切り替え部材は、第１の筐体内に設けられ、前記第１の筐体に向けて前記記録材を排出する第２の筐体が更に設けられ、前記制御手段によって前記反対方向に搬送される前記記録材のうちの前記第１の筐体から突出する部分は、当該第１の筐体と前記第２の筐体との間に形成される間隙内に入り込むことを特徴とする請求項１又は２に記載の記録材処理装置である。
請求項４に記載の発明は、前記第１の搬送経路、前記処理手段、前記第２の搬送経路、および前記切り替え部材は、第１の筐体内に設けられ、前記第１の筐体に向けて前記記録材を排出する第２の筐体が更に設けられ、前記第２の筐体には、前記制御手段によって前記反対方向に搬送される前記記録材のうちの前記第１の筐体から突出する部分を収容する収容部が形成されていることを特徴とする請求項１又は２に記載の記録材処理装置である。
【０００６】
請求項５に記載の発明は、記録材が順次搬送される搬送経路と、前記搬送経路を搬送されてきた記録材に対し予め定められた処理を行う処理手段と、前記処理手段よりも記録材の搬送方向上流側にて停止され又は減速された記録材の後端部を当該記録材の厚み方向に変位させる変位手段と、を備える記録材処理装置である。
請求項６に記載の発明は、前記搬送経路から退避した第１の状態から当該搬送経路上に突出する第２の状態に変位し、記録材の搬送先を、当該搬送経路とは異なる搬送経路に切り替える切り替え部材を更に備え、前記変位手段は、前記記録材の搬送方向とは逆方向に向かって当該記録材を搬送するとともに前記第２の状態にある前記切り替え部材に当該記録材を接触させることで当該記録材の前記後端部を前記厚み方向に変位させることを特徴とする請求項５記載の記録材処理装置である。
請求項７に記載の発明は、前記切り替え部材は、一端および他端を有し、前記記録材の搬送方向における下流側に位置する当該一端を中心に回転可能に設けられるとともに、前記第２の状態に変位する際に、当該搬送方向における上流側に位置する当該他端が前記搬送経路側に移動するように回転し、当該搬送経路上に突出し、前記搬送経路を挟み前記切り替え部材に対向する箇所には、当該搬送経路を搬送される前記記録材を案内する案内面が設けられ、前記案内面は、前記第２の状態にある前記切り替え部材に沿うように形成されていることを特徴とする請求項６記載の記録材処理装置である。
【発明の効果】
【０００７】
請求項１の発明によれば、記録材に対して処理を行う処理手段の上流側にて記録材を待機させる機能を付与したとしても装置の大型化が抑制できる記録材処理装置を提供することができる。
請求項２の発明によれば、記録材の後端部が切り替え部材を通過する前に切り替え部材を第２の状態に変位させる場合に比べ、切り替え部材による記録材の損傷などを抑制することが可能となる。
請求項３の発明によれば、記録材のうちの第１の筐体から突出する部分を収容するための専用の空間が省略可能となる。
請求項４の発明によれば、制御手段によって反対方向に搬送される記録材の移動が第２の筐体によって妨げられることを抑制可能となる。
【０００８】
請求項５の発明によれば、記録材に対して処理を行う処理手段の上流側にて記録材を待機させる機能を付与したとしても装置の大型化が抑制できる記録材処理装置を提供することができる。
請求項６の発明によれば、記録材の後端部を変位させるための専用の部材を設けずに記録材の後端部を変異させることが可能となる。
請求項７の発明によれば、第２の状態にある切り替え部材に沿うように案内面が形成されていない場合に比べ、切り替え部材と案内面との間を記録材が通過しやすくなる。
【図面の簡単な説明】
【０００９】
【図１】本実施の形態が適用される用紙処理システムの全体構成を示した図である。
【図２】用紙処理装置にて実行される処理を説明するための図である。
【図３】用紙処理装置にて実行される処理を説明するための図である。
【図４】用紙処理装置にて実行される処理を説明するための図である。
【図５】切り替え部材の動作を説明するための図である。
【図６】用紙処理システムの他の構成例を示した図である。
【発明を実施するための形態】
【００１０】
以下、添付図面を参照して、本発明の実施形態について詳細に説明する。
図１は、本実施の形態が適用される用紙処理システム１の全体構成を示した図である。
図１に示す用紙処理システム１は、例えば電子写真方式によってカラー画像を形成するプリンタや複写機等の画像形成装置２と、画像形成装置２から排出される用紙（記録材の一例）に対して後処理を施す用紙処理装置４（記録材処理装置の一例）とを備えている。
【００１１】
ここで画像形成装置２は、画像形成装置本体２Ａと、例えば液晶ディスプレイにより構成され、ユーザに対して情報を表示するとともにユーザからの指示（入力）を受け付けるＵＩ（User Interface）とを備えている。また、画像形成装置２は、画像形成装置本体２Ａの内部に、用紙に対して例えばトナー像を形成する画像形成部（不図示）を備えている。また、モータなどの駆動源を備え、この画像形成部に対して用紙を搬送するとともに、画像形成部にて画像が形成された用紙を用紙処理装置４に対して搬送（出力）する用紙搬送機構（不図示）を備えている。さらに画像形成装置２は、画像形成装置本体２Ａにおける上記画像形成部および用紙搬送機構、ＵＩなどを制御する制御部２Ｃを備えている。
【００１２】
なお画像形成装置２に設けられた上記画像形成部は、例えば、感光体ドラム、この感光体ドラムを帯電する帯電器、感光体ドラムにレーザ光を照射し静電潜像を形成するレーザ露光器、感光体ドラムに形成された上記静電潜像をトナーを用いて現像する現像装置、感光体ドラム上に形成されたトナー像を用紙に対し転写する転写装置とから構成することができる。なお本実施形態では、電子写真方式によって画像を形成する場合を例示したが、インクジェット方式などによって画像を形成するようにしてもよい。
【００１３】
一方、用紙処理装置４は、垂直に配置された４つの側面を有し直方体状に形成された筐体（第１の筐体の一例）４１と、用紙束を生成するとともにこの用紙束の端に対しステープルを用いて綴じ処理を行う端綴じ部４３とを備えている。さらに用紙処理装置４は、変位手段の一部として機能する制御部（制御手段）１００を有している。この制御部１００は、画像形成装置２における制御部２Ｃと通信可能に設けられ、用紙処理装置４の全体を制御する。また、用紙処理装置４は、端綴じ部４３から排出された用紙束が載せられる用紙積載部材４５を備えている。ここでこの用紙積載部材４５は、用紙束が積載されるに従い下方に移動する。なお本実施形態における用紙処理システム１では、用紙処理装置４の筐体４１と、画像形成装置２における筐体２Ｄ（第２の筐体の一例）との間に、間隙ＧＰが形成された状態で、用紙処理装置４および画像形成装置２が設置されている。
【００１４】
また用紙処理装置４は、筐体４１の上部に設けられ用紙処理装置４での処理が行われない用紙が積載される上部積載部４６を備えている。さらに用紙処理装置４には、端綴じ部４３に向けて用紙が順次搬送される際に用紙が通過する第１用紙搬送経路Ｒ１が設けられている。また、この第１用紙搬送経路Ｒ１から分岐して設けられ、上部積載部４６に向けて用紙が搬送される際に用紙が通過する第２用紙搬送経路Ｒ２が設けられている。また、第２用紙搬送経路Ｒ２に沿って搬送されてきた用紙を上部積載部４６に排出する排出ロール４６１、排出ロール４６１よりも用紙の搬送方向における上流側に設けられ第２用紙搬送経路Ｒ２に沿って搬送されてきた用紙を排出ロール４６１に向けて搬送する搬送ロール４６２が設けられている。
【００１５】
また用紙処理装置４には、第２用紙搬送経路Ｒ２が第１用紙搬送経路Ｒ１から分岐した分岐部に切り替え部材４７が設けられている。この切り替え部材４７は、予め定められた軸を中心に揺動可能（回転可能）に設けられている。付言すると、切り替え部材４７は、記録材の搬送方向における下流側に一端を有し、記録材の搬送方向における上流側に他端を有するとともに、用紙の搬送方向における下流側に位置するこの一端を中心に回転可能に設けられている。
【００１６】
ここで、切り替え部材４７は、第１用紙搬送経路Ｒ１から退避した状態（第１の状態）から第１用紙搬送経路Ｒ１に突出した状態（第２の状態）に変位し、画像形成装置２から搬送されてきた用紙の搬送先を、第１用紙搬送経路Ｒ１から第２用紙搬送経路Ｒ２に切り替える。なお、切り替え部材４７の第１用紙搬送経路Ｒ１への突出は、切り替え部材４７の上記他端が第１用紙搬送経路Ｒ１に移動するように切り替え部材４７が回転することで行われる。また切り替え部材４７は、第１用紙搬送経路Ｒ１に突出した状態から第１用紙搬送経路Ｒ１から退避した状態に変位し、画像形成装置２から搬送されてきた用紙の搬送先を、第２用紙搬送経路Ｒ２から第１用紙搬送経路Ｒ１に切り替える。
【００１７】
また用紙処理装置４には、切り替え部材４７よりも用紙の搬送方向における下流側に設けられるとともに第１用紙搬送経路Ｒ１に沿って設けられ、第１用紙搬送経路Ｒ１を搬送される用紙の案内を行う第１案内部材５１が設けられている。また、第１用紙搬送経路Ｒ１を挟み第１案内部材５１の対向位置に配置され、同じく用紙の案内を行う第２案内部材５２が設けられている。ここでこの第２案内部材５２は、用紙の案内を行う第１案内面５２Ａ、第２案内面５２Ｂを有している。ここで第１案内面５２Ａは、切り替え部材４７よりも用紙の搬送方向における下流側に設けられるとともに第１用紙搬送経路Ｒ１に沿うように設けられ、また、第１案内部材５１の対向位置に配置され、第１用紙搬送経路Ｒ１を搬送される用紙の案内を行う。
【００１８】
また、第２案内面５２Ｂは、第１案内面５２Ａよりも用紙の搬送方向における上流側に設けられるとともにこの第１案内面５２Ａに接続して設けられ、また、第１用紙搬送経路Ｒ１を挟み切り替え部材４７の対向位置に配置されている。また第２案内面５２Ｂは、用紙の搬送方向における下流側に向かうに従い、第１用紙搬送経路Ｒ１に接近するように設けられている。付言すると、第２案内面５２Ｂは、水平方向に対し傾斜した状態で設けられている。この第２案内面５２Ｂは、画像形成装置２から排出された用紙の先端が垂れ下がっているときなどに、この先端を案内し、用紙を、第１案内部材５１と第１案内面５２Ａとの間に誘導する。
【００１９】
処理手段の一例としての端綴じ部４３は、順次搬送されてくる用紙が積載されるコンパイル部４３１と、コンパイル部４３１に向けて用紙を排出する一対のローラであるイクジットロール４３２とを備えている。また、用紙の後端をコンパイル部４３１のエンドガイド４３１Ａに向けて押し込むために回転するメインパドルおよびサブパドル（いずれも不図示）を備えている。更に、コンパイル部４３１にて集積され且つステープラ４３５による綴じ処理が行われた用紙束を、排出口４１１を通じ、用紙積載部材４５へ搬送するイジェクトロール４３３を備えている。さらに、イジェクトロール４３３による用紙束の排出が行われる際に、この用紙束に押圧配置される押圧ロール４３６が設けられている。なおこの押圧ロール４３６は、イジェクトロール４３３による用紙束の排出が行われていないときには、上方に退避している。
【００２０】
ここで端綴じ部４３における動作について詳細に説明する。
端綴じ部４３による綴じ処理が行われる際には、切り替え部材４７によって、用紙の搬送先が第１用紙搬送経路Ｒ１に設定される。これにより、画像形成装置２から順次搬送されてくる用紙が、第１用紙搬送経路Ｒ１を経由してコンパイル部４３１に到達し、コンパイル部４３１上には、複数枚の用紙により構成された用紙束が生成される。次いで、ステープラ４３５による綴じ処理が、生成されたこの用紙束の端部に対して行われる。その後、この用紙束に対して押圧ロール４３６が進出するとともに、イジェクトロール４３３の回転が行われる。これにより、この用紙束は、用紙積載部材４５上に積載される。
【００２１】
ところで、端綴じ部４３による綴じ処理が行われた用紙束が端綴じ部４３から排出されるまで、新たな用紙（新たな用紙束を作成するための１枚目の用紙）をコンパイル部４３１に排出することができない。このためかかる場合、画像形成装置２にて用紙の搬送を停止させるなど、端綴じ部４３よりも上流側にて、用紙の搬送を停止させる必要が生じる。ところでこの場合、用紙束を作成していく際の生産性などが低下することとなる。このため本実施形態では、端綴じ部４３による綴じ処理が行われている際に画像形成装置２から搬送されてきた用紙を、用紙搬送経路上に収容するようにし（滞留させるようにし）、画像形成装置２などにおける用紙の搬送の停止を回避するようにしている。
【００２２】
図２〜図４は、用紙処理装置４にて実行される処理を説明するための図である。なお図２〜図４では、端綴じ部４３のコンパイル部４３１上に載っている用紙束の図示を省略している。
本実施形態では、図２（Ａ）に示すように、画像形成装置２から用紙Ｐ１が順次搬送されている。ここで、端綴じ部４３による綴じ処理が行われている最中に、用紙Ｐ１が搬送されてきた場合には、同図に示すように、用紙Ｐ１が下流側に搬送される方向にイクジットロール４３２を回転させておく。なお本明細書では、以下、イクジットロール４３２の回転方向のうち、用紙が下流側に搬送される際の回転方向を正方向と称し、この正方向とは反対方向の回転方向を逆方向と称する場合がある。
【００２３】
その後、本実施形態では、同図（Ｂ）に示すように、用紙Ｐ１の後端が切り替え部材４７を通過した後、イクジットロール４３２の回転を停止させ用紙Ｐ１の搬送を停止させる。次いで、図３（Ａ）に示すように、不図示のソレノイドを駆動することで切り替え部材４７を駆動し、切り替え部材４７を下降させる。付言すると、切り替え部材４７を第２案内部材５２の第２案内面５２Ｂに接近させ、第２案内面５２Ｂに沿うように切り替え部材４７を配置する。
【００２４】
次いで、図３（Ｂ）に示すように、イクジットロール４３２を逆方向に回転させ、用紙Ｐ１の搬送方向における上流側に向けて用紙Ｐ１を予め定められた量だけ搬送する。このときこの用紙Ｐ１は、切り替え部材４７に案内され、斜め下方向に向かって移動していく。そしてこの場合、用紙Ｐ１の先端（筐体４１から突出する部分）が、画像形成装置２と用紙処理装置４との間に形成されている間隙ＧＰ内に進入し、用紙Ｐ１の先端が垂れ下がる状態となる。なお本実施形態では、用紙Ｐ１を上流側に向けて搬送する際、上記のとおり、第２案内面５２Ｂに沿うように切り替え部材４７が配置される。付言すると、本実施形態では、第１用紙搬送経路Ｒ１上に突出した切り替え部材４７に沿うように第２案内面５２Ｂが形成されている。ここで、第２案内面５２Ｂが切り替え部材４７に沿うように設けられておらず例えば水平方向に沿って配置されている場合、切り替え部材４７と第２案内面５２Ｂとの間を用紙Ｐ１が通過しにくくなる。
【００２５】
その後、本実施形態では、不図示のソレノイドを駆動し、図４に示すように、切り替え部材４７を上方に移動させる。これにより、画像形成装置２から排出されてきた２枚目の用紙Ｐ２が、第１用紙搬送経路Ｒ１に沿って移動可能となる。なお、この２枚目の用紙Ｐ２が用紙処理装置４に搬送されてきた際、１枚目の用紙Ｐ１の先端が上記のとおり垂れ下がっているため、この２枚目の用紙Ｐ２は、１枚面の用紙Ｐ１によりガイドされ且つこの１枚面の用紙Ｐ１の上を移動していく。これにより、用紙Ｐ１の下方に用紙Ｐ２がもぐり込むことが抑制されるようになっている。付言すると、ページ順が入れ替わることが抑制されるようになっている。
【００２６】
そして本実施形態では、端綴じ部４３のコンパイル部４３１上に載っている用紙束（不図示）が用紙積載部材４５（図１参照）に排出された後、図４に示すように、イクジットロール４３２を正方向に回転させる。これにより、用紙Ｐ１の一部と用紙Ｐ２の一部とが重なった状態で、用紙Ｐ１および用紙Ｐ２が、端綴じ部４３のコンパイル部４３１上に排出される。なおコンパイル部４３１に用紙Ｐ１と用紙Ｐ２とが排出される際、用紙Ｐ１と用紙Ｐ２との間には、ずれが生じているが、このずれは、用紙Ｐ１および用紙Ｐ２がコンパイル部４３１のエンドガイド４３１Ａに押し付けられることで解消される。
【００２７】
なお本実施形態では、切り替え部材４７を用いて用紙Ｐ１の後端部を下方に（用紙Ｐ１の厚み方向に）移動（変位）させたが、切り替え部材４７によらず、例えば、ファンなどを設け用紙Ｐ１の下方から用紙Ｐ１の後端部を吸引することで後端部を下方に移動させるようにしてもよい。また、ファンによって上方から空気を当てて、後端部を下方に移動させることもできる。また上記では、切り替え部材４７を下方に移動させるとともに、用紙Ｐ１を上流側に向けて搬送することで、用紙Ｐ１の後端部を下方に移動させたが、用紙Ｐ１を上流側に搬送させなくても、用紙Ｐ１の後端部を下方に移動させることができる。
【００２８】
例えば、上記のようにファンを用いて吸引する場合、用紙Ｐ１を上流側に搬送しないでも、用紙Ｐ１の後端部を下方に移動させることができる。また用紙Ｐ１の後端部の変位は、用紙Ｐ１の搬送を停止させた状態で行うこともできるし、用紙Ｐ１の搬送速度を低下させた状態（減速された状態）で行うこともできる。付言すると、用紙Ｐ１の滞留（待機）を行う際、用紙Ｐ１の停止は必ずしも必要ではなく、通常時の搬送速度よりも遅い搬送速度で用紙Ｐ１を搬送し用紙Ｐ１を滞留させてもよい。この場合、用紙Ｐ１の後端部の変位は、上記ファンなどを用いて行うことができる。
【００２９】
また、上記のようなファンによらず、例えば第１用紙搬送経路Ｒ１の上方から用紙Ｐ１に向かって進出する進出部材（不図示）を設け、この進出部材によって後端部を下方に向けて移動させることもできる。なおこの場合、この進出部材に上記用紙Ｐ２が達する前に進出部材を退避させ、進出部材と用紙Ｐ２との干渉を回避する必要がある。また上記では、１枚目の用紙Ｐ１の後端部が切り替え部材４７を通過した後に、切り替え部材４７を下方に回転（移動）させたが、切り替え部材４７の下方への回転は、用紙Ｐ１の先端部が切り替え部材４７を通過した後であれば、用紙Ｐ１の後端部が切り替え部材４７を通過した前であっても行うことができる。
【００３０】
より具体的には、図５（切り替え部材の動作を説明するための図）に示すように、用紙Ｐ１の後端部が画像形成装置２から排出された後であれば、切り替え部材４７の下方への回転を行うことができる。なお図５に示す態様では、用紙Ｐ１に切り替え部材４７が接触し用紙Ｐ１にキズなどが生じるおそれがある。一方で、用紙Ｐ１の後端部が切り替え部材４７を通過した後であれば、このようなキズの発生は抑制される。このため、用紙Ｐ１のキズなどを抑制するという観点からは、用紙Ｐ１の後端部が切り替え部材４７を通過した後に、切り替え部材４７を下方に回転させることが好ましくなる。
【００３１】
また上記では、画像形成装置２と用紙処理装置４との間に形成された間隙ＧＰ内に向けて用紙Ｐ１を送り込む場合を一例に説明したが、このように装置間に間隙ＧＰが形成されないことも多い。この場合は、例えば、図６（用紙処理システム１の他の構成例を示した図）に示すように、用紙処理装置４に隣接した筐体２００（第２の筐体の他の一例）に対し、用紙（用紙のうちの筐体４１から突出する部分）を送りこむようにしてもよい。ここで、筐体２００のうちの用紙が送りこまれる部分は、用紙のうちの筐体４１から突出する部分を収容する収容部として捉えることができる。なお図６では、筐体２００に単に用紙を送りこむのではなく、筐体２００に用紙搬送経路Ｒ３を形成し、この用紙搬送経路Ｒ３に用紙を送りこんでいる。なお、図６では、筐体２００の内部に、用紙に穴あけを行うパンチ機構２５０が設けられた構成を例示している。
【００３２】
なお本実施形態では、上記のように、第１用紙搬送経路Ｒ１上に用紙を留めることで用紙の搬送の停止を抑制し、生産性の低下を抑制した。ところで、例えば、用紙が搬送されるメインの搬送経路から分岐した分岐搬送経路に用紙を送りこんでおくことでも、用紙の滞留が可能となる。ところで、このように用紙を滞留させておくための専用の搬送経路を設ける場合、装置の大型化を招いてしまう。ここで本実施形態では、用紙を滞留させるための専用の搬送経路を用いずに用紙を滞留しておくことができ、装置の大型化が抑制されるようになっている。
【符号の説明】
【００３３】
２Ｄ…筐体、４…用紙処理装置、４１…筐体、４３…端綴じ部、４７…切り替え部材、５２Ｂ…第２案内面、１００…制御部、２００…筐体、ＧＰ…間隙、Ｒ１…第１用紙搬送経路、Ｒ２…第２用紙搬送経路
【図１】
2012126568.tif 000003
【図２】
2012126568.tif 000004
【図３】
2012126568.tif 000005
【図４】
2012126568.tif 000006
【図５】
2012126568.tif 000007
【図６】
2012126568.tif 000008